(57)【要約】【課題】バイザ本体が所定値以上の荷重を受けた際においてもミラーユニットがバイザ本体から脱落することを防止するための構造を備えた車両用サンバイザを提供する。【解決手段】車両用サンバイザ１は、バイザ本体２と、そのバイザ本体２に取付けられるミラーユニット５とを備える。そしてバイザ本体２は、ミラーユニット５が取付けられる取付部４を有し、その取付部４の外側には、バイザ本体２に所定値以上の荷重が加わった際にその荷重によって破断する脆弱部２７が形成されている。【選択図】　　　　図２
2004017825.tif 000002
【特許請求の範囲】
【請求項１】
バイザ本体と、そのバイザ本体に取付けられるミラーユニットとを備える車両用サンバイザであって、
前記バイザ本体は、前記ミラーユニットが取付けられる取付部を有し、その取付部の外側には、前記バイザ本体に所定値以上の荷重が加わった際にその荷重によって破断する脆弱部が形成されていることを特徴とする車両用サンバイザ。
【請求項２】
請求項１に記載の車両用サンバイザであって、
脆弱部は、取付部の一辺側を残した外周に沿って形成されており、前記脆弱部が破断することで前記取付部を備えるバイザ本体の一部分が前記バイザ本体の残り部分に対して前記一辺側を支点とした片持ち張り梁状に分離され、前記残り部分が前記バイザ本体に加わった荷重によって変形する構成になっていることを特徴とする車両用サンバイザ。
【請求項３】
請求項２に記載の車両用サンバイザであって、
取付部は、バイザ本体に設けられたミラーブラケットによって構成され、
前記ミラーブラケットは、脆弱部が形成されていない一辺側においてバイザ本体に埋め込まれた支持部を有することを特徴とする車両用サンバイザ。
【発明の詳細な説明】
【０００１】
【発明の属する技術分野】
この発明は、車室内への光の侵入を防止する車両用サンバイザに関する。
【０００２】
【従来の技術】
車両用サンバイザは、板状のバイザ本体を有し、そのバイザ本体にミラーユニットが取付けられたものも知られている。そしてミラーユニットは、バイザ本体が所定値以上の荷重（衝撃など）を受けた場合においてもバイザ本体から脱落しないことが望まれている。
例えば、車両には、近年エアバックを備えるものが多いが、そのエアバックが膨らむことで車両用サンバイザが所定値以上の荷重を受け、この場合にミラーユニットが脱落しないことが望ましい。
【０００３】
【発明が解決しようとする課題】
そこで本発明は、バイザ本体が所定値以上の荷重を受けた際においてもミラーユニットがバイザ本体から脱落することを防止するための構造を備えた車両用サンバイザを提供することを課題とする。
【０００４】
【課題を解決するための手段】
前記課題を解決するために本発明は、上記各請求項に記載の通りの構成を備える車両用サンバイザであることを特徴とする。
請求項１に記載の発明によれば、車両用サンバイザは、バイザ本体と、そのバイザ本体に取付けられるミラーユニットとを備える。
そしてバイザ本体は、ミラーユニットが取付けられる取付部を有し、その取付部の外側には、バイザ本体に所定値以上の荷重が加わった際にその荷重によって破断する脆弱部が形成されている。
【０００５】
したがってバイザ本体に所定値以上の荷重が加わった場合は、バイザ本体に形成された脆弱部が破断する。そのためバイザ本体が受けた荷重に対するエネルギーは、脆弱部の破断エネルギーに変えられる。そして脆弱部は、取付部の外側に形成されている。したがって取付部には、荷重に対するエネルギーが伝わりにくい。
かくして取付部は、荷重によって変形したり、破断したりすることが防止される。そして取付部に取付けられたミラーユニットは、取付部から脱落することが防止され、これによってミラーユニットは、バイザ本体から脱落することが防止される。
なお脆弱部は、所定値以上の荷重によって破断する形態であれば何でもよく、例えば、脆弱部がバイザ本体の肉厚が薄くなった部分によって形成される形態、あるいは脆性材料によって形成される形態などである。
またミラーユニットは、例えば次の構成のものをいう。すなわちミラーのみによって構成されるもの、ミラーとそのミラーが取付けられるケースを備えるもの、あるいはミラーとケースとミラーの鏡面を覆うカバーとを備えるものなどである。
【０００６】
請求項２に記載の発明によれば、脆弱部は、取付部の一辺側を残した外周に沿って形成されており、脆弱部が破断することで取付部を備えるバイザ本体の一部分がバイザ本体の残り部分に対して一辺側を支点とした片持ち張り梁状に分離され、残り部分がバイザ本体に加わった荷重によって変形する構成になっている。
すなわち取付部とバイザ本体の一部分は、脆弱部が破断することで片持ち張り状になる。したがって取付部とバイザ本体の一部分は、一端側が自由端となる。そのため取付部とバイザ本体の一部分は、バイザ本体に加わった荷重によってほとんど変形せず、バイザ本体の残り部分が荷重によって変形する。
かくして取付部が変形することが防止され、取付部に取付けられたミラーユニットがバイザ本体から脱落することが防止される。
【０００７】
請求項３に記載の発明によれば、取付部は、バイザ本体に設けられたミラーブラケットによって構成される。そしてそのミラーブラケットは、脆弱部が形成されていない一辺側においてバイザ本体に埋め込まれた支持部を有する。
すなわちミラーブラケットは、脆弱部が破断して片持ち梁状になった際の固定端側に支持部を有する。そしてその支持部は、バイザ本体に埋め込まれている。したがってミラーブラケットは、支持部によってバイザ本体の残り部分に対して強く取付いている。
かくしてミラーブラケットは、脆弱部が破断した際においてもバイザ本体の残り部分から脱落することが防止される。
【０００８】
【発明の実施の形態】
（実施の形態１）
本発明の実施の形態１にかかる車両用サンバイザ１を図１〜６にしたがって説明する。
車両用サンバイザ１は、図１に示すように板状のバイザ本体２と、そのバイザ本体２が回動可能に取付けられる支軸１０を有する。またバイザ本体２には、ミラーユニット５が取付けられている。
支軸１０は、図１に示すように縦軸と横軸とを備えた略Ｌ字状に形成されており、横軸にバイザ本体２が回動可能に取付けられている。また縦軸は、取付ブラケット１１を介して車両天井に回動可能に取付けられる。
したがってバイザ本体２は、横軸周りに回動されることで、車室天井面に沿う格納位置と、フロントガラスに沿うフロント位置とに回動する。またバイザ本体２は、縦軸周りに回動されることでフロント位置とサイドガラスに沿ったサイド位置とに回動する。
【０００９】
バイザ本体２は、図２に示すように発泡材料から成形された中実板状の発泡体２０と、発泡体２０の表面に装着された表皮材２１とを有する。
またバイザ本体２は、図１に示すように針金を素材として形成された芯材２３と、支軸１０が回動可能に取付けられる軸受部２２とを有する。
この芯材２３は、図１に示すようにバイザ本体２の外周に沿って設けられるとともに、発泡体２０の内部に配設されている。
また軸受部２２は、図１に示すように発泡体２０の内部に設けられており、バイザ本体２の内部において支軸１０を回動可能に支持する。
【００１０】
またバイザ本体２は、図１に示すようにサポート軸１２を有する。このサポート軸１２は、車両天井に取付けられたフックに対して脱着可能に取付く部材である。そしてサポート軸１２は、フックに取付けられることでそのフックに対して軸周り方向に摺動する。したがってバイザ本体２は、サポート軸１２をフックに取付けることで、支軸１０の横軸とサポート軸１２とを軸として収納位置とフロント位置とに回動する。また、サポート軸１２のない場合もある。
【００１１】
またバイザ本体２は、図２に示すようにミラーユニット５を取付けるための取付凹部２６を有する。そして取付凹部２６の底面には、ミラーブラケット４が設けられている。
なおミラーブラケット４は、次のように発泡体２０に取付けられる。すなわちミラーブラケット４は、芯材２３と軸受部２２とともに発泡体２０を形成するための型にセットされ、その状態において発泡材料を発泡させて発泡体２０を形成する。したがってこれらは、発泡体２０に内設される。
また取付凹部２６は、図２に示すように二段状に窪んで形成されている。すなわち取付凹部２６は、バイザ本体２の表面側から一段落ち込んだ第一凹部２６ａと、その第一凹部２６ａからさらに一段落ち込んだ第二凹部２６ｂとを備える。
そしてミラーブラケット４は、図２，５に示すようにその一部が第二凹部２６ｂの底面に沿って表面側が露出されている。
【００１２】
ミラーブラケット４は、図４に示すように金属板などの板材から形成されており、ミラーユニット５を取付けるために複数の取付部４１を有する。
取付部４１は、図４に示すようにミラーブラケット４に貫通孔が設けられ、その貫通孔の孔端縁によって形成されている。
また発泡体２０には、図２，５に示すように取付部４１の裏側から発泡体２０の裏面に貫通する貫通孔２５が形成されている。そして貫通孔２５によってミラーブラケット４の取付部４１の裏面の一部が露出されている。
したがってミラーユニット５の係着部５０ｂを取付部４１に対して貫通させ、貫通孔の孔端縁の裏側面に係着部５０ｂの先端を係着（係止）することができる（図２参照）。
なおミラーブラケット４および取付部４１は、請求項に記載の取付部に相当する。
【００１３】
またバイザ本体２は、図２に示すように第二凹部２６ｂの底面からさらに凹状に窪む方向に形成された溝部２４を有する。そしてバイザ本体２には、溝部２４によって薄肉状に形成された脆弱部２７が形成されている。
したがってバイザ本体２に所定値以上の荷重、例えば衝撃などが加わった場合は、その荷重によって脆弱部２７が破断し、荷重に対するエネルギーが脆弱部２７の破断エネルギーに変えられる。すなわち脆弱部２７によってバイザ本体２は、その一部が分断ないし分離される。
なお所定値以上の荷重は、例えばエアバックが作動した際においてエアバックがバイザ本体２が当たることで生じる。あるいは乗員の頭などがバイザ本体２にぶつかることで不側に生じる衝撃などである。
【００１４】
また脆弱部２７は、図５に示すようにミラーブラケット４を避けた位置、すなわちミラーブラケット４の外側に設けられている。そして脆弱部２７は、図５に示すようにミラーブラケット４の外周に沿って設けられている。
したがって脆弱部２７が破断した際にミラーブラケット４側には、荷重によるエネルギーが伝わりにくい。
また脆弱部２７は、図５に示すように（バイザ本体２をフロント位置にした状態での）ミラーブラケット４の上辺に沿った上縁部２７ａと、左右側の側辺の一方（例えば左端）に沿った側縁部２７ｂと、下辺に沿った下縁部２７ｃとを備え、これらが一体状に繋がっている。
【００１５】
なおミラーブラケット４の一辺側には、脆弱部２７が形成されていない。換言するとミラーブラケット４の一辺側を残した外周に沿って脆弱部２７が形成されており、脆弱部２７は、ミラーブラケット４の三辺に沿って形成されている。
したがって脆弱部２７が破断した場合は、ミラーブラケット４の一辺側を残した他の三辺側のバイザ本体２が破断する。そのためミラーブラケット４を備えるバイザ本体２の一部分は、図６に示すようにバイザ本体２の残りの部分に対して片持ち梁状になる。
【００１６】
また脆弱部２７が形成されていない一辺側は、バイザ本体２の長手方向における支軸１０側の一辺側である。
したがってミラーブラケット４を備えるバイザ本体２の一部分は、図６に示すように脆弱部２７が破断することでバイザ本体２の長手方向に片持ち梁状となる。かくしてバイザ本体２の一部分は、一端側が自由端となり、その自由端と固定端との間に曲げモーメントが生じた際には、その自由端によってそのモーメントが解放される。とりわけバイザ本体２を長手方向に対して曲げる曲げモーメントが解放されやすい。したがってバイザ本体２の一部分、すなわちミラーブラケット４を備えるバイザ本体２の一部分は、変形しにくい。
【００１７】
そしてバイザ本体２の残り部分が、バイザ本体２が受けた荷重によって変形する。
また脆弱部２７は、サポート軸１２と支軸１０との間に形成されている（図１参考）。したがってサポート軸１２と支軸１０との間に荷重が加わった状態において脆弱部２７が容易に破断され得る。
また脆弱部２７は、芯材２３に囲まれた位置に設けられている（図１参照）。したがって脆弱部２７は、芯材２３に影響されることなく、容易に破断され得る。
またバイザ本体２の残り部分は、芯材２３を有する（図１参照）。したがってバイザ本体２の残り部分は、荷重によって変形しにくい。かくしてバイザ本体２の残り部分が変形されることで、荷重に対するエネルギーが多く消費される。
【００１８】
またミラーブラケット４には、ミラーユニット５が取付けられている。
このミラーユニット５は、図１に示すようにミラー３と、そのミラー３を保持するケース５０と、ミラー３の鏡面を開閉するカバー５１とを備える。
ケース５０は、図４に示すようにミラー３を取付けるためにミラー３よりも一周り大きな形状に形成された開口部５０ｄを有する。またケース５０の表面側には、図２に示すようにその開口部５０ｄの端部から開口中央側へ張出してミラー３の表面側の周囲部分を支持する張出枠部５０ｃが形成されている。
またケース５０の裏面側には、ミラー３の裏面側を支持するために開口部５０ｄの端部から開口中央側へ張出した裏面支持部５０ｅが複数形成されている。
したがってミラー３は、張出枠部５０ｃと裏面支持部５０ｅとによって支持されることでケース５０に取付けられている。
【００１９】
またケース５０は、図２に示すようにバイザ本体２の第一凹部２６ａの底面に掛け止まるために外方側へ張出す掛止部５０ａを有する。したがってケース５０は、図２に示すようにバイザ本体２の取付凹部２６に収められるとともに、取付凹部２６の第一凹部２６ａに掛止められる。
またケース５０は、図４に示すようにミラーブラケット４に係着するための係着部５０ｂを複数備える。したがって係着部５０ｂがミラーブラケット４の取付部４１に取付けられることで、ケース５０は、ミラーブラケット４を介してバイザ本体２に取付られる。
またケース５０には、図３に示すようにカバー５１が回動可能に取付けられている。
【００２０】
またミラーブラケット４は、図２に示すように一辺側（右端）からバイザ本体２の一辺側へ延出する支持部４２を有する。
また支持部４２は、図４に示すようにミラーブラケット４の一辺から板状に延出して一体状に形成されている。そして支持部４２は、図５に示すように脆弱部２７が設けられていない一辺側に設けられており、脆弱部２７によって覆われる領域の逆側へ延出する。したがって支持部４２は、バイザ本体２の取付凹部２６を形成する側壁を貫通し、バイザ本体２の内部に埋め込まれている。
【００２１】
したがって支持部４２は、バイザ本体２によって強く支持されている。
そして支持部４２は、図６に示すように脆弱部２７が破断することでミラーブラケット４が片持ち梁状になった際に、片持ち梁の固定端側を形成する。すなわち支持部４２は、ミラーブラケット４を備えるバイザ本体２の一部分から残りのバイザ本体２に渡って延出しており、片持ち梁の固定端の軸を形成している。
【００２２】
したがって車両用サンバイザ１は、以下のような作用・効果を有する。
すなわちバイザ本体２が所定値以上の荷重を受けると脆弱部２７がその荷重によって破断する。したがって荷重エネルギーが破断エネルギーに変えられ、荷重エネルギーがミラーブラケット４に伝わることが防止される。かくしてミラーブラケット４は、荷重によって変形することが防止される。
【００２３】
またミラーブラケット４とバイザ本体２の一部分は、脆弱部２７が破断することで片持ち張り状になる。したがってミラーブラケット４とバイザ本体２の一部分は、一端側が自由端となる。そのためミラーブラケット４とバイザ本体２の一部分は、バイザ本体に加わった荷重によってほとんど変形せず、バイザ本体２の残り部分が荷重によって変形する。
かくしてミラーブラケット４が変形することが防止され、ミラーブラケット４に取付けられたミラーユニット５がミラーブラケット４から脱落することが防止される。すなわちミラーユニット５の係着部５０ｂが取付部４１から外れることが防止される。その結果ミラーユニット５がミラーブラケット４およびバイザ本体２から脱落することが防止される。
【００２４】
またミラーブラケット４は、脆弱部２７が破断することでバイザ本体２の一部分とともにバイザ本体２の残りの部分に対して片持ち梁状になる。したがってミラーブラケット４およびミラーユニット５は、バイザ本体２の残り部分と連結した状態となって、バイザ本体２の残り部分から脱落することが防止されている。
またミラーブラケット４に形成された支持部４２が片持ち梁の固定端を形成している。したがってミラーブラケット４およびミラーユニット５は、片持ち梁状になった際においてもバイザ本体２の残りの部分から脱落しにくい。
【００２５】
ところでバイザ本体２は、支軸１０とサポート軸１２の二点によって車両天井に支持されて利用される場合が多い。そしてこの状態においてバイザ本体２に荷重が加わった場合は、バイザ本体２を長手方向に曲げようとする曲げモーメントがバイザ本体２に加わりやすい。
これに対してバイザ本体２の一部分は、長手方向に対して片持ち梁状になる形態である。そのためミラーブラケット４は、長手方向に曲げようとする曲げモーメントによって変形しにくく、残りの部分が変形しやすい。
なおバイザ本体２を短手方向に曲げようとする曲げモーメントがバイザ本体２に加わった場合は、脆弱部２７が設けられていない一辺側によってその曲げモーメントが支持される。したがって脆弱部２７は、破断されにくくなっている。
【００２６】
（実施の形態２）
次に実施の形態２を図７にしたがって説明する。
実施の形態２にかかる車両用サンバイザ７は、実施の形態１に設けられた脆弱部２７（図５参照）の代わりに図７に示す脆弱部７０を有する形態である。しかし他の部分は、実施の形態１の車両用サンバイザ１と同様に形成されている。そのため同一部分についての説明を割愛する。そして同一部分に実施の形態１と同一の番号を利用しつつ、以下に実施の形態２について説明する。
【００２７】
脆弱部７０は、バイザ本体２の一端辺から他端辺に向かってその短手方向に渡って形成されている。また脆弱部７０は、ミラーブラケット（４）を避けた位置に設けられている。また脆弱部７０は、サポート軸１２と支軸１０との間に設けられ、これらを分断する方向に延出している。
また脆弱部７０は、発泡体（２０）に溝部を形成することで発泡体（２０）の肉厚を薄くすることで形成されている（図２参照）。
【００２８】
したがってバイザ本体２が所定値以上の荷重（例えば衝撃）を受けることで脆弱部７０が破断する。そのため荷重エネルギーは、破断エネルギーに変えられる。かくしてミラーブラケット（４）には、荷重によるエネルギーが伝わりにくく、ミラーブラケット（４）が荷重によって変形することが防止される。
かくしてミラーブラケット（４）に取付けられたミラーユニット５は、ミラーブラケット（４）から外れにくく、ミラー３がバイザ本体２から脱落することが防止される。
【００２９】
また脆弱部７０は、バイザ本体２の短手方向に渡って形成されている。したがってバイザ本体２に長手方向に曲げる曲げモーメントが加わった場合は、その曲げモーメントによって脆弱部７０は、容易に破断され得る構成になっている。
一方、バイザ本体２に短手方向に曲げる曲げモーメントが加わった場合は、脆弱部７０が破断しにくい構成になっている。
かくして脆弱部７０は、長手方向に曲げる曲げモーメントに対して効率よく破断しやすい。そして短手方向に曲げる曲げモーメントに対しては、破断しにくい構成なっている。
【００３０】
（他の実施の形態）
また本発明は、実施の形態１，２に限定されず、以下の形態であってもよい。
（１）すなわち実施の形態１，２の脆弱部は、バイザ本体に溝部を形成することでバイザ本体に肉厚の薄い部分を形成することで形成されていた。しかしバイザ本体に複数の貫通孔を所定間隔で設け、これによって脆弱部を形成する形態であってもよい。
あるいはバイザ本体の一部を脆性材料によって形成し、この部分を脆弱部とする形態であってもよい。
あるいはバイザ本体が発泡材料で形成される形態であって、その発泡材料の発泡倍率を一部分だけ高くすることで密度を粗とし、この部分を脆弱部とする形態であってもよい。
（２）また上記の実施の形態では、ミラーユニットがミラーブラケットを介してバイザ本体に取付けられていた。しかしバイザ本体にミラーブラケットが設けられておらず、ミラーユニットがバイザ本体に直接取付けられる形態であってもよい。例えば、バイザ本体が中空板状に形成されており、そのバイザ本体にミラーユニットを収納するための凹部が形成される。そして該凹部の底面に貫通孔状に形成された取付部が形成され、その取付部にミラーユニットの係着部が取付けられる形態であってもよい。
（３）また上記の実施の形態では、ミラーブラケットの三辺に沿って脆弱部が形成されていたが、例えば、「請求項１に記載の車両用サンバイザであって、脆弱部は、取付部の一辺側を残した外周の少なくとも二辺に沿って形成されており、前記脆弱部が破断することで前記取付部を備えるバイザ本体の一部分が前記バイザ本体の残り部分に対して前記一辺側を支点とした片持ち張り梁状に分離され、前記残り部分が前記バイザ本体に加わった荷重によって変形する構成になっていることを特徴とする車両用サンバイザ」であってもよい。例えば脆弱部が上縁部（図５の２７ａ）と側縁部（図５の２７ｂによって形成される脆弱部）とを有し、側縁部がバイザ本体の下端縁まで延出している形態である。あるいは脆弱部が下縁部（図５の２７ｃ）と側縁部（図５の２７ｂ）とを有し、側縁部がバイザ本体の上端縁まで延出している形態である。
（４）また上記の実施の形態では、バイザ本体が発泡材料を素材として形成された発泡体を主体に構成されていた。しかしバイザ本体がブロー成形によって中空板状に形成された形態であってもよいし、あるいは射出成形によって殻状に形成された殻体を当接させることでバイザ本体が中空板状に形成される形態であってもよい。
（５）また上記の実施の形態では、ミラーユニットがミラー、ケースおよびカバーによって形成されていたが、ミラーのみによって形成される形態、あるいはミラーとケースのみによって形成される形態であってもよい。そしてミラーブラケットへの取付構造は、爪構造による取付構造に限らず、接着剤による取付構造、嵌合構造による取付構造など何でもよい。
【００３１】
【発明の効果】
本発明に係る車両用サンバイザによれば、バイザ本体が所定値以上の荷重を受けた際においてもミラーユニットがバイザ本体から脱落しにくい。
【図面の簡単な説明】
【図１】車両用サンバイザの斜視図である。
【図２】図１のＡ−Ａ線断面矢視図である。
【図３】図１のＢ−Ｂ線断面矢視図である。
【図４】組付前のミラーブラケットとミラーユニットの斜視図である。
【図５】ミラーユニットを組付ける前のバイザ本体の取付凹部近傍の拡大斜視図である。
【図６】図２に相当する図であって、バイザ本体に所定値以上の荷重が加わった際における車両用サンバイザの状態を示す図である。
【図７】実施の形態２の車両用サンバイザの斜視図である。
【符号の説明】
１，７…車両用サンバイザ
２…バイザ本体
３…ミラー
４…ミラーブラケット（取付部）
５…ミラーユニット
２０…発泡体
２１…表皮材
２４…溝部
２６…取付凹部
２７，７０…脆弱部
４２…支持部
【図１】
2004017825.tif 000003
【図２】
2004017825.tif 000004
【図３】
2004017825.tif 000005
【図４】
2004017825.tif 000006
【図５】
2004017825.tif 000007
【図６】
2004017825.tif 000008
【図７】
2004017825.tif 000009